(57)【特許請求の範囲】
【請求項１】
被検体の皮膚表面に光を照射する複数の送光プローブと、当該被検体の皮膚表面から放出される光を受光する複数の受光プローブとを有する第一送受光部と、
前記第一送受光部に対して光の送受光を制御する制御部とを備え、
前記第一送受光部は、前記送光プローブと受光プローブとが交互に第一設定間隔で並べられた格子状に形成されている光計測装置であって、
前記第一送受光部と異なる位置に配置された第二送受光部を備え、
前記第二送受光部は、前記被検体の皮膚表面に光を照射する送光プローブと、当該被検体の皮膚表面から放出される光を受光する受光プローブとを有し、かつ、
前記送光プローブと受光プローブとの間の距離である第二設定間隔が、前記第一設定間隔より短くなるように形成されており、
前記第二送受光部の被検体の皮膚表面に対する配置位置は、前記第一送受光部の被検体の皮膚表面に対する配置位置の近辺であり、
前記制御部は、前記第一送受光部において、前記送光プローブから当該送光プローブと隣接する受光プローブへの光の第一受光量情報を取得するとともに、
前記第二送受光部において、前記送光プローブから受光プローブへの光の第二受光量情報を取得し、
前記第二受光量情報を用いて、前記被検体の測定部位より浅い浅部による受光量情報を第一受光量情報から除去することにより、当該測定部位の受光量情報を取得することを特徴とする光計測装置。
【請求項２】
前記第二送受光部は、前記送光プローブと受光プローブとが交互に第二設定間隔で並べられた格子状に形成されており、
前記制御部は、前記第二送受光部において、前記送光プローブから当該送光プローブと隣接する受光プローブへの光の第二受光量情報を取得することを特徴とする請求項１に記載の光計測装置。
【発明の詳細な説明】
【技術分野】
【０００１】
本発明は、光を用いて非侵襲で生体内部を計測する光計測装置に関し、特に、脳内各部の血流の経時変化や酸素供給の経時変化を計測することにより、生体の組織が正常であるか否かを診断するための酸素モニタや循環器系障害診断装置等として使用することができる光計測装置に関する。
【背景技術】
【０００２】
ヘモグロビンは、血液中で酸素を運搬する役割を果たしている。血液中に含まれるヘモグロビン濃度は、血管の拡張・収縮に応じて増減するため、ヘモグロビン濃度を測定することによって、血管の拡張・収縮を検出することが知られている。
そこで、ヘモグロビン濃度が生体内部の酸素代謝機能に対応することを利用することにより、光を用いて生体内部を簡便に無侵襲で計測する生体計測方法が知られている。ヘモグロビン濃度は、可視光から近赤外領域までの波長の光を生体に照射することにより、生体を透過して得られる光の量から求められる。
【０００３】
さらに、ヘモグロビンは、酸素と結合してオキシヘモグロビンとなり、一方、酸素と離れてデオキシヘモグロビンとなる。脳内では、血流再配分作用によって活性化している部位には酸素供給が行われ、酸素と結合したオキシヘモグロビン濃度が増加することも知られている。よって、オキシヘモグロビン濃度を計測することにより、脳活動の観察に応用することができる。オキシヘモグロビンとデオキシヘモグロビンとは、可視光から近赤外領域にかけて異なる分光吸収スペクトル特性を有しているので、異なる２波長（例えば、７８０ｎｍと８５０ｎｍ）の近赤外光を用いてオキシヘモグロビン濃度及びデオキシヘモグロビン濃度をそれぞれ求めることができる。
【０００４】
そこで、簡便に非侵襲で脳活動を計測するために、送光プローブと受光プローブとを備える光計測装置が開発されている。光計測装置では、被検体の頭皮表面上に配置した送光プローブにより、脳に近赤外光を照射するとともに、頭皮表面上に配置した受光プローブにより、脳から放出された近赤外光の光量を検出する。このようにして送光プローブと受光プローブとを用いることにより、脳の測定部位のオキシヘモグロビン濃度、デオキシヘモグロビン濃度、さらにはこれらから算出される全ヘモグロビン濃度を求める。
【０００５】
ここで、送光プローブと受光プローブとのプローブ間隔（チャンネル）と、脳の測定部位との関係について説明する。図６（ａ）は、一対の送光プローブ及び受光プローブと、脳の測定部位との関係を示す断面図であり、図６（ｂ）は、図６（ａ）の平面図である。
送光プローブ１２が被検体の頭皮表面の送光点Ｔに押し当てられるとともに、受光プローブ１３が被検体の頭皮表面の受光点Ｒに押し当てられる。そして、送光プローブ１２から光を照射させるとともに、受光プローブ１３に頭皮表面から放出される光を検出させる。このとき、光は、頭皮表面の送光点Ｔから照射された光のうちで、バナナ形状（測定領域）を通過した光が、頭皮表面の受光点Ｒに到達する。これにより、測定領域の中でも、特に送光点Ｔと受光点Ｒとを被検体の頭皮表面に沿って最短距離で結んだ線Ｌの中点Ｍから、送光点Ｔと受光点Ｒとを被検体の頭皮表面に沿って最短距離で結んだ線の距離の半分の深さＬ／２である被検体の部位Ｓの受光量情報（オキシヘモグロビン濃度、デオキシヘモグロビン濃度、さらにはこれらから算出される全ヘモグロビン濃度）が得られる。
【０００６】
また、運動や感覚や思考等の脳機能に関する脳の複数箇所の測定部位のヘモグロビン濃度等を計測することにより、脳機能診断や循環器系障害診断等の医療分野に適用される光計測装置が開発されている。
このような光計測装置では、例えば、複数個の送光プローブと、複数個の受光プローブとを有する送受光部が利用されている（例えば、特許文献１参照）。
送受光部においては、複数個の送光プローブと、複数個の受光プローブとを所定の配列で被検体の頭皮表面に密着させるために、ホルダが使用される。このようなホルダとしては、例えば、頭皮表面の形状に合わせて椀形状に成型された成型ホルダが使用されている。成型ホルダには貫通孔が複数個設けられ、送光プローブと受光プローブとがそれらの貫通孔に挿入されることによって、チャンネルが一定となり、頭皮表面から特定の深度となる複数箇所の部位から受光量情報が得られる。
【０００７】
図２は、上述したような送受光部における１３個の送光プローブと１２個の受光プローブとの位置関係を示す平面図である。送光プローブと受光プローブとが行方向及び列方向に交互となるように正方格子状に配置されている。送受光部１１は、頭皮から脳までの距離が考慮されて設計されているため、被検体が成人であれば、送光プローブ１２と受光プローブ１３との間の距離（チャンネル）を３０ｍｍとしたものが用いられている。チャンネルが３０ｍｍである場合には、上述したようにチャンネルの中点からの深度１５ｍｍ〜２０ｍｍの受光量情報が得られると考えられている。すなわち、頭皮表面から深度１５ｍｍ〜２０ｍｍの位置は脳表部位にほぼ対応し、脳活動に関した受光量情報が得られる。
なお、送光プローブ１２ａ〜１２ｍから照射された光は、隣接する受光プローブ１３ａ〜１３ｌ以外の離れた受光プローブ１３ａ〜１３ｌでも検出されるが、ここでは説明を簡単にするため、隣接する受光プローブ１３ａ〜１３ｌのみで検出されることとする。よって、合計４０箇所の脳表部位からの受光量情報が得られる。
そして、合計４０箇所の脳表部位からの受光量情報の時間的な変化から脳活動を計測することにより、得られた脳活動データ（賦活データともいう）に平均化処理等の画像処理、マッピングを実行して画像化することも行われている。
【特許文献１】特開２００１−３３７０３３号公報
【発明の開示】
【発明が解決しようとする課題】
【０００８】
しかしながら、送光点Ｔと受光点Ｒとを被検体の頭皮表面に沿って最短距離で結んだ線の距離（チャンネル）を３０ｍｍとなるように配置しても、実際には、被検体の脳表部位にある脳血流による受光量情報だけでなく、送光点Ｔ近傍や受光点Ｒ近傍の被検体の頭皮部位にある皮膚血流による受光量情報も含まれるという問題があった。
そこで、本発明は、被検体の測定部位より浅い皮膚血流等の浅部による不要な受光量情報を除去した脳血流等の測定部位による受光量情報を得ることができる光計測装置を提供することを目的とする。
【課題を解決するための手段】
【０００９】
上記課題を解決するためになされた本発明の光計測装置は、被検体の皮膚表面に光を照射する複数の送光プローブと、当該被検体の皮膚表面から放出される光を受光する複数の受光プローブとを有する第一送受光部と、前記第一送受光部に対して光の送受光を制御する制御部とを備え、前記第一送受光部は、前記送光プローブと受光プローブとが交互に第一設定間隔で並べられた格子状に形成されている光計測装置であって、前記第一送受光部と異なる位置に配置された第二送受光部を備え、前記第二送受光部は、前記被検体の皮膚表面に光を照射する送光プローブと、当該被検体の皮膚表面から放出される光を受光する受光プローブとを有し、かつ、前記送光プローブと受光プローブとの間の距離である第二設定間隔が、前記第一設定間隔より短くなるように形成されており、前記第二送受光部の被検体の皮膚表面に対する配置位置は、前記第一送受光部の被検体の皮膚表面に対する配置位置の近辺であり、前記制御部は、前記第一送受光部において、前記送光プローブから当該送光プローブと隣接する受光プローブへの光の第一受光量情報を取得するとともに、前記第二送受光部において、前記送光プローブから受光プローブへの光の第二受光量情報を取得し、前記第二受光量情報を用いて、前記被検体の測定部位より浅い浅部による受光量情報を第一受光量情報から除去することにより、当該測定部位の受光量情報を取得するようにしている。
【００１０】
ここで、「第一送受光部の被検体の皮膚表面に対する配置位置の近辺」とは、第一送受光部を配置した被検体の浅部の部位とほぼ同一となる受光量情報が得られる位置のこといい、例えば、第一送受光部が被検体の頭皮表面の一部に配置されたときには、同じ頭皮表面の他の一部のことをいう。なお、被検体の皮膚血流による受光量情報は、被検体の広い範囲でほぼ同一となることがわかっているため、第二送受光部を第一送受光部の近辺の被検体の皮膚表面に配置すれば、第一送受光部を配置した被検体の部位にある皮膚血流による受光量情報が得られる。
本発明の光計測装置によれば、第一送受光部は、送光プローブと受光プローブとが交互に第一設定間隔（第一チャンネル）で並べられた格子状に形成されている。そして、第一送受光部は、被検体の皮膚表面に配置される。
また、第二送受光部は、送光プローブと受光プローブとの間の距離である第二設定間隔（第二チャンネル）が、第一設定間隔（第一チャンネル）より短くなるように形成されている。つまり、第二送受光部は、被検体の測定部位（例えば、脳血流等）による受光量情報を計測するのではなく、被検体の測定部位より浅い浅部にある皮膚血流等による受光量情報を計測することになる。そして、第二送受光部を第一送受光部の近辺の被検体の皮膚表面に配置する。
これにより、制御部は、第一送受光部において、送光プローブから送光プローブと隣接する受光プローブへの光の第一受光量情報を取得するとともに、第二送受光部において、送光プローブから受光プローブへの光の第二受光量情報を取得する。
そして、制御部は、第二受光量情報を用いて、被検体の測定部位より浅い浅部（例えば、皮膚血流等）による受光量情報を第一受光量情報から除去することにより、測定部位（例えば、脳血流等）の受光量情報を取得する。このとき、例えば、独立成分分析等の数学的信号分離法を用いて、測定部位と浅部との信号（情報成分）を分離し、測定部位の情報成分のみを抽出する。
【発明の効果】
【００１１】
以上のように、本発明の光計測装置によれば、被検体の浅部による不要な受光量情報を除去した測定部位（例えば、脳血流等）による受光量情報を得ることができる。したがって、脳内各部等の血流の経時変化や酸素供給の経時変化を正確に観察することができる。
【００１２】
（その他の課題を解決するための手段及び効果）
また、本発明の光計測装置は、前記第二送受光部は、前記送光プローブと受光プローブとが交互に第二設定間隔で並べられた格子状に形成されており、前記制御部は、前記第二送受光部において、前記送光プローブから当該送光プローブと隣接する受光プローブへの光の第二受光量情報を取得するようにしてもよい。
【発明を実施するための最良の形態】
【００１３】
以下、本発明の実施形態について図面を用いて説明する。なお、本発明は、以下の実施形態に限定されるものではなく、本発明の趣旨を逸脱しない範囲で種々の態様が含まれることはいうまでもない。
【００１４】
図１は、本発明の一実施形態である光計測装置の構成を示すブロック図である。また、図２は、第一送受光部の構成を示す平面図であり、図３は、第二送受光部の構成を示す平面図である。さらに、図４は、第一送受光部と第二送受光部とが被検者の頭皮表面に配置されたときの状態を示す平面図である。
光計測装置１は、第一送受光部１１と、第二送受光部１５と、発光部２と、光検出部３と、光計測装置１全体の制御を実行する制御部（コンピュータ）２０とにより構成される。
【００１５】
第一送受光部１１は、図２に示すように、１３個の送光プローブ１２ａ〜１２ｍと１２個の受光プローブ１３ａ〜１３ｌとを有し、送光プローブ１２ａ〜１２ｍと受光プローブ１３ａ〜１３ｌとが行方向及び列方向に交互となるように正方格子状に配置されたものである。なお、送光プローブ１２と受光プローブ１３との間の距離（第一設定距離）は、３０ｍｍである。また、１２個の送光プローブ１２ａ〜１２ｍは、光を出射するものであり、一方、１２個の受光プローブ１３ａ〜１３ｌは、光の量を検出するものである。そして、第一送受光部１１は、被検者Ｐの頭皮表面に装着されることになる。よって、第一送受光部１１は、頭皮表面から深度１５ｍｍ〜２０ｍｍの位置にある脳表部位（測定部位）に関した第一受光量情報が得られることになる。なお、第一受光量情報は、送光点近傍や受光点近傍の被検体Ｐの頭皮部位（浅部）にある皮膚血流による受光量情報も含んだ情報となる。
【００１６】
第二送受光部１５は、図３に示すように、５個の送光プローブ１６ａ〜１６ｅと４個の受光プローブ１７ａ〜１７ｄとを有し、送光プローブ１６ａ〜１６ｅと受光プローブ１７ａ〜１７ｄとが行方向及び列方向に交互となるように正方格子状に配置されたものである。なお、送光プローブ１６と受光プローブ１７との間の距離（第二設定距離）は、１５ｍｍである。また、５個の送光プローブ１６ａ〜１６ｅは、光を出射するものであり、一方、４個の受光プローブ１７ａ〜１７ｄは、光の量を検出するものである。
そして、図４に示すように、第二送受光部１５は、第一送受光部１１が配置された被検者Ｐの頭皮表面の近辺に装着されることになる。よって、第二送光部１５は、頭皮部位（浅部）に関した第二受光量情報が得られることになる。
なお、図４に示すように第一送受光部１１と第二送受光部１５とは頭部において異なる（少し離れた）位置に配置されているが、頭表の皮膚血流は頭部全体に均一であると考えられているので、図４に示すような第一送受光部１１と第二送受光部１５との位置関係でも、第二送受光部１５によって第一送受光部１１を配置した被検者Ｐの皮膚血流と同等の皮膚血流信号（皮膚血流による受光量情報）が得られる。
【００１７】
発光部２は、コンピュータ２０から入力された駆動信号により、第一送受光部１１における１３個の送光プローブ１２ａ〜１２ｍのうちから選択される１個の送光プローブに光を送光することと併行して、第二送受光部１５における５個の送光プローブ１６ａ〜１６ｅのうちから選択される１個の送光プローブに光を送光する。上記光としては、例えば、異なる２波長（例えば、７８０ｎｍと８５０ｎｍ）の近赤外光等が用いられる。
なお、互いに光がほとんど干渉しない遠く離れた送光プローブ１２、１６どうしであれば、複数の送光プローブに同時に送光して、測定の能率を高めることもできるが、以下の説明では１つずつ送光するものとして説明する。
光検出部３は、第一送受光部１１における１２個の受光プローブ１３ａ〜１３ｌで受光した近赤外光を個別に検出することにより、１２個の受光信号（第一受光量情報）をコンピュータ２０に出力することと併行して、第二送受光部１５における４個の受光プローブ１７ａ〜１７ｄで受光した近赤外光を個別に検出することにより、４個の受光信号（第二受光量情報）をコンピュータ２０に出力する。
【００１８】
コンピュータ２０においては、ＣＰＵ２１を備え、さらに、メモリ２５と、モニタ画面２３ａ等を有する表示装置２３と、入力装置２２であるキーボード２２ａやマウス２２ｂとが連結されている。
また、ＣＰＵ２１が処理する機能をブロック化して説明すると、発光部２及び光検出部３を制御する送受光部制御部４と、第一受光量情報取得部３１と、第二受光量情報取得部３２と、脳活動受光量情報算出部３３とを有する。
また、メモリ２５は、受光信号（第一受光量情報）を記憶する第一受光量情報記憶部５１と、受光信号（第二受光量情報）を記憶する第二受光量情報記憶部５２とを有する。
【００１９】
送受光部制御部４は、発光部２に駆動信号を出力する発光制御部４２と、光検出部３からの受光信号（第一受光量情報及び第二受光量情報）を受けることにより受光信号をメモリ２５に記憶させる光検出制御部４３とを有する。
発光制御部４２は、送光プローブ１２に光を送光することと併行して、送光プローブ１６にも光を送光する駆動信号を発光部２に出力する制御を行うものである。
例えば、まず、送光プローブ１２ａに７８０ｎｍの光を０．１５秒間送光させ、次に、送光プローブ１２ｂに７８０ｎｍの光を０．１５秒間送光させるように、送光プローブ１２ａから送光プローブ１２ｍまで順番に７８０ｎｍの光を送光させる駆動信号を発光部２に出力する。さらに、送光プローブ１２ａから送光プローブ１２ｍまで順番に７８０ｎｍの光を送光させた後には、同様にして送光プローブ１２ａから送光プローブ１２ｍまで順番に８５０ｎｍの光を送光させる駆動信号を発光部２に出力する。
また、送光プローブ１２ａから送光プローブ１２ｍまで光を送光させると同時に、まず、送光プローブ１６ａに７８０ｎｍの光を０．１５秒間送光させ、次に、送光プローブ１６ｂに７８０ｎｍの光を０．１５秒間送光させるように、送光プローブ１６ａから送光プローブ１６ｅまで順番に７８０ｎｍの光を送光させる駆動信号を発光部２に出力する。さらに、送光プローブ１６ａから送光プローブ１６ｅまで順番に７８０ｎｍの光を送光させた後には、同様にして送光プローブ１６ａから送光プローブ１６ｅまで順番に８５０ｎｍの光を送光させる駆動信号を発光部２に出力する。
【００２０】
光検出制御部４３は、光検出部３からの受光信号（第一受光量情報）を受けることにより受光信号（第一受光量情報）を第一受光量情報記憶部５１に記憶させるとともに、受光信号（第二受光量情報）を受けることにより受光信号（第二受光量情報）を第二受光量情報記憶部５２に記憶させる制御を行うものである。
例えば、送光プローブ１２ａから送光された７８０ｎｍの光を受光プローブ１３ａ〜１３ｌで検出した受光信号（第一受光量情報）を受信し、次に、送光プローブ１２ｂから送光された７８０ｎｍの光を受光プローブ１３ａ〜１３ｌで検出した受光信号（第一受光量情報）を受信するように、１３個の送光プローブ１２ａ〜１２ｍから送光した７８０ｎｍの光を受光プローブ１３ａ〜１３ｌで検出した受光信号（第一受光量情報）を受信する。さらに、同様にして１３個の送光プローブ１２ａ〜１２ｍから送光した８５０ｎｍの光を受光プローブ１３ａ〜１３ｌで検出した受光信号（第一受光量情報）を受信する。
また、受光プローブ１３ａ〜１３ｌで検出した受光信号（第一受光量情報）を受信すると同時に、送光プローブ１６ａから送光された７８０ｎｍの光を受光プローブ１７ａ〜１７ｄで検出した受光信号（第二受光量情報）を受信し、次に、送光プローブ１６ｂから送光された７８０ｎｍの光を受光プローブ１７ａ〜１７ｄで検出した受光信号（第二受光量情報）を受信するように、５個の送光プローブ１６ａ〜１６ｅから送光した７８０ｎｍの光を受光プローブ１７ａ〜１７ｄで検出した受光信号（第二受光量情報）を受信する。さらに、同様にして５個の送光プローブ１６ａ〜１６ｅから送光した８５０ｎｍの光を受光プローブ１７ａ〜１７ｄで検出した受光信号（第二受光量情報）を受信する。
【００２１】
第一受光量情報取得部３１は、第一送受光部１１において、送光プローブ１２から、当該送光プローブ１２と隣接する受光プローブ１３で受光される光の第一受光量情報を取得する制御を行うものである。
具体的には、第一受光量情報記憶部５１に記憶された受光信号の中から、送光プローブ１２から、当該送光プローブ１２と隣接する受光プローブ１３で受光される受光信号を、深さ３０／２ｍｍ（脳表部位）の第一受光量情報として取得する。
第二受光量情報取得部３２は、第二送受光部１１において、送光プローブ１６から、当該送光プローブ１６と隣接する受光プローブ１７で受光される光の第二受光量情報を取得する制御を行うものである。
具体的には、第二受光量情報記憶部５２に記憶された受光信号の中から、送光プローブ１６から、当該送光プローブ１６と隣接する受光プローブ１７で受光される受光信号を、浅部（頭皮部位）の第二受光量情報として取得する。
【００２２】
脳活動受光量情報算出部３３は、第二受光量情報を用いて、被検者Ｐの測定部位（脳表部位）より浅い浅部（頭皮部位）による受光量情報を第一受光量情報から除去することにより、測定部位の受光量情報を取得して、得られた脳活動データ（賦活データともいう）に平均化処理等の画像処理、マッピングを実行して画像化する制御を行うものである。
例えば、独立成分分析等の数学的信号分離法を用いて、測定部位（脳表部位）と浅部（頭皮部位）との信号（情報成分）を分離し、測定部位（脳表部位）の信号（情報成分）のみを抽出する。そして、得られた脳活動データに平均化処理等の画像処理、マッピングを実行して画像化する。
【００２３】
次に、光計測装置１により、脳の測定部位の脳活動を計測する検査方法（生体計測方法）について説明する。図５は、光計測装置１による検査方法の一例について説明するためのフローチャートである。
まず、ステップＳ１０１の処理において、被検者Ｐの頭皮表面に第一送受光部１１を配置する。
次に、ステップＳ１０２の処理において、第一送受光部１１が配置された被検者Ｐの頭皮表面の近辺に第二送受光部１５を配置する。つまり、第一送受光部１１を配置した被検者Ｐの浅部の部位とほぼ同一となる受光量情報が得られる位置に、第二送受光部１５を配置する（図４参照）。
【００２４】
次に、ステップＳ１０３の処理において、発光制御部４２は、送光プローブ１２に光を送光することと併行して、送光プローブ１６にも光を送光する駆動信号を発光部２に出力する。
次に、ステップＳ１０４の処理において、光検出制御部４３は、光検出部３からの受光信号（第一受光量情報）を受けることにより受光信号（第一受光量情報）を第一受光量情報記憶部５１に記憶させる。
一方、ステップＳ１０５の処理において、光検出制御部４３は、光検出部３からの受光信号（第二受光量情報）を受けることにより受光信号（第二受光量情報）を第二受光量情報記憶部５２に記憶させる。
【００２５】
ステップＳ１０４とステップＳ１０５との処理が終了すると、ステップＳ１０６の処理において、第一受光量情報取得部３１は、第一送受光部１１において、送光プローブ１２から、送光プローブ１２と隣接する受光プローブ１３で受光される光の第一受光量情報を取得する。
次に、ステップＳ１０７の処理において、第二受光量情報取得部３２は、第二送受光部１１において、送光プローブ１６から、送光プローブ１６と隣接する受光プローブ１７で受光される光の第二受光量情報を取得する。
次に、ステップＳ１０８の処理において、脳活動受光量情報算出部３３は、第二受光量情報を用いて、被検者Ｐの測定部位（脳表部位）より浅い浅部（頭皮部位）による受光量情報を第一受光量情報から除去することにより、測定部位の受光量情報を取得して、得られた脳活動データに平均化処理等の画像処理、マッピングを実行して画像化する。
【００２６】
以上のように、本発明の光計測装置１によれば、被検者Ｐの皮膚血流等による影響をほとんど含まない受光量情報を得ることができる。したがって、脳内各部の血流の経時変化や酸素供給の経時変化を正確に検査することができる。
【００２７】
（他の実施形態）
（１）上述した光計測装置１では、１３個の送光プローブ１２ａ〜１２ｍと１２個の受光プローブ１３ａ〜１３ｌとを有する第一送受光部１１を示したが、異なる数、例えば９個の送光プローブと９個の受光プローブとを有する第一送受光部としてもよい。また、５個の送光プローブ１６ａ〜１６ｅと４個の受光プローブ１７ａ〜１７ｄとを有する第二送受光部１５を示したが、異なる数、例えば１個の送光プローブと１個の受光プローブとを有する第二送受光部としてもよい
（２）上述した光計測装置１では、第一送受光部１１と第二送受光部１５とを備える構成を示したが、さらに送光プローブと受光プローブとの間の距離である第三設定間隔が、第二設定間隔より短くなるように形成された第三送受光部を備えるような構成としてもよい。
【産業上の利用可能性】
【００２８】
本発明は、光を用いて非侵襲で生体内部を計測する光計測装置に利用することができる。
【図面の簡単な説明】
【００２９】
【図１】本発明の一実施形態である光計測装置の構成を示すブロック図である。
【図２】第一送受光部の構成を示す平面図である。
【図３】第二送受光部の構成を示す平面図である。
【図４】第一送受光部と第二送受光部とが被検者の頭皮表面に配置されたときの状態を示す平面図である。
【図５】光計測装置による検査方法の一例について説明するためのフローチャートである。
【図６】一対の送光プローブ及び受光プローブと、脳の測定部位との関係を示す図である。
【符号の説明】
【００３０】
１：光計測装置
１１：第一送受光部
１２、１６：送光プローブ
１３、１７：受光プローブ
１５：第二送受光部
２０：制御部
Ｐ：被検者
Ｔ：送光点
Ｒ：受光点
Ｍ：中点
Ｓ：測定部位
【図１】
0005262102.tif 000002
【図２】
0005262102.tif 000003
【図３】
0005262102.tif 000004
【図４】
0005262102.tif 000005
【図５】
0005262102.tif 000006
【図６】
0005262102.tif 000007